(57)【要約】【課題】  大量の遺体の発生が懸念される大災害の発生に備えて、必要となる棺桶や遺体被覆シート、或は、骨壷などを、分解状態でコンパクトに折畳んで１セットの棺桶セットとして、予め所要数量をまとめて適宜の場所に格納するなどして備蓄できるようにした棺桶と遺体被覆シート並びに骨壷などの必要な用品をセットした内容で提供すること。【解決手段】  組立式の段ボール製棺桶1において、分解状態にした棺桶の本体１と蓋２を、それらの長さ方向で２つ折りして折畳み、折畳んだ本体１と蓋２を積層して結束一体化し、適宜場所に保管するようにしたこと。【選択図】  図３
2005278994.tif 000002
【特許請求の範囲】
【請求項１】
組立式の段ボール製棺桶において、分解状態にした棺桶の本体と蓋を、それらの長さ方向で２つ折りして折畳み、折畳んだ本体と蓋を積層して結束一体化し、適宜場所に保管するようにしたことを特徴とする大規模災害などの緊急時用棺桶。
【請求項２】
棺桶本体はその両側壁を底壁に重複するように、また、蓋は主板に両側板を重複するように、それぞれ折畳み、この状態で長さ方向において２つ折りに折畳んで積層することにより、折畳み状態が縦横ともコンパクトになるようにした請求項１の緊急時用棺桶。
【請求項３】
本体と蓋を形成する段ボールは、強化段ボールであって、内面又は内外面に耐水性を付与し、その段ボールの切口面と表面を相調に化粧した請求項１又は２の緊急時用棺桶。
【請求項４】
縦，横が少なくとも200cm〜250cm程度のポリプロピレン等の柔軟な合成樹脂シートを第1層とし、この第一層の上に、当該第一層より少し小さ目の大きさに形成すると共に、活性炭などのように吸臭，吸湿機能のある材料を全面に含みニードルパンチなどにより繊維を適宜厚さのマット状に絡着させて形成した第二層を重ね、該第二層の上面の略中央部に60〜80cm程度の幅で吸水性ポリマーシートによる第三層を重ねて成り、３つの層を第三層の幅において互に接合した遺体被覆シートを用いる請求項１〜３のいずれかの緊急時用棺桶。
【請求項５】
遺体被覆シートは、展開状態において第三層の上に遺体を載せ、その左右側から第二層を折り返して当該遺体に被せ、第二層の重複部を閉止するため、第二層の一側縁の裏面と他側縁の表面に、面ファスナの雌雄部材を線状に設け、第二層により遺体を包んだ状態で前記面ファスナの雄雌部材を係着し、この状態で第一層を左右から折り返して遺体を被覆してしまうようにした請求項４の緊急時用棺桶。
【請求項６】
遺体被覆シートは、第三層の上に、第二層と第三層の左，右側を折畳んで重ね、この状態で長さ方向で２つ折りすることにより、折畳み棺桶と折畳みシートとを積層状態で結束するようにした請求項１〜５のいずれかの緊急時用棺桶。
【請求項７】
一緒に結束した折畳んだ棺桶と遺体被覆シートのセットに、(イ)段ボール製の組立式骨壷、(ロ)適宜量のパックされた脱脂綿、(ハ)500g程度のパックされた消石灰、(ニ)複数双のゴム手袋、(ホ)複数個のマスクを同梱した請求項１〜６のいずれかの緊急時用棺桶。
【請求項８】
縦，横が少なくとも200cm〜250cm程度のポリプロピレン等の柔軟な合成樹脂シートを第1層とし、この第一層の上に、当該第一層より少し小さ目の大きさに形成すると共に、活性炭などのように吸臭，吸湿機能のある材料を全面に含みニードルパンチなどにより繊維を適宜厚さのマット状に絡着させて形成した第二層を重ね、該第二層の上面の略中央部に60〜80cm程度の幅で吸水性ポリマーシートによる第三層を重ねて成り、３つの層を第三層の幅において互に接合したことを特徴とする遺体被覆シート。
【発明の詳細な説明】
【技術分野】
【０００１】
本発明は大地震などのような大型災害の発生に伴いやむなく発生する大量の遺体を衛生的かつ安全に保管安置し、また、火葬に付すための棺桶と遺体を包むための遺体被覆シートに関する。
【背景技術】
【０００２】
大地震などの大型災害では、瞬時に、或は、短時間に大量の遺体が発生すると予測されているが、現状では大量の遺体処理のために、棺桶やドライアイスなどの必要器材を迅速かつ円滑に被災地へ搬入することは、事実上不可能と考えられている。
【０００３】
しかし、上記のような大量の遺体発生を余儀なくさせる大災害が現実のもとなった場合、それも地震等の災害の発生が気温が高い季節であると、発生する遺体はただちに腐敗を始めるため不衛生きわまりなく、伝染病が発生することなどが懸念されている。
【０００４】
このような大量の遺体が発生せざるを得ない大型災害発生時の緊急事態に対応するため、段ボール製の組立式棺桶が特許文献１などにより公知であるが、公知の組立式棺桶は組立式であるに止まり、また、収容する遺体を被覆するシートと一緒に使用することも考えられていないため、大型災害において大量発生する遺体の保管と安置に不可欠と考えられる緊急用棺桶と遺体被覆シートがセットになっておらず、大型災害向けに大量に備蓄するためのものとしては不十分である。
【特許文献１】実開平７−１７２２５号公報
【発明の開示】
【発明が解決しようとする課題】
【０００５】
そこで本発明では、大量の遺体の発生が懸念される大災害の発生に備えて、必要となる棺桶や遺体被覆シート、或は、骨壷などを、分解状態でコンパクトに折畳んで１セットの棺桶セットとして、予め所要数量をまとめて適宜の場所に格納するなどして備蓄できるようにした棺桶と遺体被覆シート並びに骨壷などの必要な用品をセットした内容で提供することを課題とする。
【課題を解決するための手段】
【０００６】
上記課題を解決することを目的としてなされた本発明棺桶の構成は、組立式の段ボール製棺桶において、分解状態にした棺桶の本体と蓋を、それらの長さ方向で２つ折りして折畳み、折畳んだ本体と蓋を積層して結束一体化し、適宜場所に保管するようにしたことを特徴とするものである。
【発明の効果】
【０００７】
本発明棺桶においては、棺桶本体（容器側）の両側壁を底壁に重複するように折畳み、この状態で長さ方向において２つ折りに折畳み、また、棺桶の蓋についても、同様の構成を採るむことにより、折畳み状態を縦横ともコンパクトに折畳み、大量の備蓄を省スペース的になし得る。
【０００８】
本発明棺桶においては、棺桶本体の前，後壁を、底壁と一体の形式にしたものと底壁から分離した形式のものがある。また、本発明棺桶に使用する段ボールは、少なくとも内面側には防水処理が施されており、望ましくは強化段ボールを使用する。
【０００９】
本発明では、上記棺桶に収容する遺体を包むシート材として、次に説明する構成のものを用い、使用前の当該シートは折畳んで前記の折畳んだ棺桶とセットにして取扱うものとする。
【００１０】
即ち、本発明による遺体を被覆するシートの構成は、縦，横が少なくとも200cm〜250cm程度のポリプロピレン等の柔軟な合成樹脂シートを第1層とし、この第一層の上に、当該第一層より少し小さ目の大きさに形成すると共に、活性炭などのように吸臭，吸湿機能のある材料を全面に含みニードルパンチなどにより繊維を適宜厚さのマット状に絡着させて形成した第二層を重ね、該第二層の上面の略中央部に60〜80cm程度の幅で吸水性ポリマーシートによる第三層を重ねて成り、３つの層を第三層の幅において互に接合したことを特徴とするものである。
【００１１】
上記の遺体被覆シートは、展開状態において第三層の上に遺体を載せ、その左右側から第二層を折り返して当該遺体に被せ、第二層の重複部を閉止する。このため、第二層の一側縁の裏面と他側縁の表面に、面ファスナの雌雄部材を線状に設け、遺体を包んだ状態で前記面ファスナの雄雌部材を係着して止める。この状態で第一層を左右から折り返して遺体を被覆してしまう。なお、第一層のシートは、その上下辺に第三層の幅と同幅程度の突出部を形成し、左右から折り返した第一層の上，下部を、この突出辺部を折り返して封止するようにすることもある。また、第一層のシート裏面には、遺体の氏名等の身元や属性記載欄を設ける。
【００１２】
上記被覆シートは、第三層の上に、その下の２つの層の左，右側を折畳み、この状態で長さ方向で２つ折りすることにより、上述した棺桶の折畳み状態の平面投影大きさ，形状と同等の大きさ，形状となるので、折畳み棺桶と折畳みシートとを積層状態で結束することにより、１セットの棺桶，遺体包みシートの備蓄用形態にまとめられる。
【００１３】
本発明では、備蓄用に一緒に結束した棺桶と遺体被覆シートのセットに、次に挙げる種々の品物を、本発明棺桶セットを構成する用品として同梱することが望ましい。その品物としては、(イ)段ボール製の組立式骨壷、(ロ)適宜量のパックされた脱脂綿、(ハ)500g程度のパックされた消石灰、(ニ)複数双のゴム手袋、(ホ)複数個のマスクなどが挙げられる。
【００１４】
骨壷は、茶昆に付された遺骨を収納するために使用し、脱脂綿は遺体各所の穴から体液が流出しないように塞ぐために使用し、消石灰は消毒剤として使用し、ゴム手袋やマスクは、その遺体を取扱う者が使用するためのものである。
【発明を実施するための最良の形態】
【００１５】
次に図を参照して本発明の実施の形態例について説明する。図１は本発明棺桶の容器側である本体の一例を分解して展開した状態の平面図、図２は棺桶の蓋の展開状態の平面図、図３は図１の本体を折畳んで２つ折りにした状態と図２の蓋を折畳んで２つ折りにした状態の斜視図、図４は、図３の本体と蓋を使用状態に組立てた状態の斜視図、図５は本発明棺桶の使用状態の斜視図、図６は本発明遺体被覆シートの一例の平面図、図７は図６のシートの下面図である。
【００１６】
図１〜図５において、１は、強化段ボール製で、少なくとも内面側に、通常は内外両面に防水処理を施した本発明棺桶の本体（容器側）、２は該本体１に施着される本体１と同じ材質の段ボール材料で形成した蓋である。
【００１７】
本体１は、図１の平面図に例示するように、幅60cm程度、長さ200cm程度の底壁1aと、その左右に設けたＶカット状の折込み溝３，４を介して底壁1aと一体に形成した左，右側壁1b，1cと、前記底壁1aの上，下において、当該底壁1aに、ボタン状のファスナなどの止め具（図示せず）により止着して一体化される上，下壁1d，1eとにより構成される。なお、両側壁1a，1bの外側には連接した補強壁と設けることがある。
【００１８】
図１において、５，６は、上，下壁1d，1eの外側に形成した接合代となる接合壁1d′，1e′と、前記底壁1aと左右側壁1b，1cの上下端部（図１の左，右方向）を接合一体化するため、それらに設けた止め具挿入用の孔である。また、本体１の側壁1b，1cの孔11と蓋２の側板2b，2cの孔12は、蓋２を本体１に固定する部材を止めるための孔である。
【００１９】
上記本体１は、その左右側壁1b，1cを底壁1aの裏面側へ、溝３，４の部位において裏返して重ね、この状態で、底壁1aと側壁1b，1cの長さ方向の中間部に形成した２つ折り線７において折曲げて畳み、その間に、左右の接合壁1d´，1e´を壁1d，1eの内側へ折込んだ上，下壁1d，1eを挟み込んで、図３の折畳み状態にする。
【００２０】
一方、蓋２は、図２の平面図及び図４の斜視図に例示したように、中央の蓋主板2aと、該主板2aに左右（図２では上，下）に連接して設けた側板2b，2cから成る。2dは蓋２の上部に設けた両開き式の窓、2eは窓2dの裏打ち補強板である。上記蓋２は、Ｖカット状の折込み溝８，９を介して主板2aと側板2b，2cが折畳み可能に連続形成されており、この蓋２の長さ方向の略１／２において、２つ折りするための折り線10が設けられているので、この折り線10から２つ折りして蓋２を図３の状態に折畳む。
【００２１】
図３の状態に折畳まれた本体１と蓋２とは、ほぼ同大の平面投影形状であるから、上下に重ねて結束などにより一体化して、適宜の格納場所に収容しておき、緊急時用の棺桶として備蓄することができる。備蓄していた上記棺桶を使用するには、折畳まれた本体１と蓋２の結束を解いて、それぞれを展開し、本体１は図４に例示するように、ボタン状のファスナ13により各接合壁を止めて一体化し、本体１に後述する遺体被覆シート21によって包んだ遺体を収容し、蓋２を施して当該蓋２の固定用ファスナ14により、本体１に被せた蓋２が外れないように止着する（図５参照）。図５においては、蓋２を本体１にボタン状のファスナ14により止着したが、テープ状の部材で蓋体２を本体１に結束固定してもよい。
本発明においては、前記本体１と蓋２の表面を塗装したり化粧シートを貼着して木質系棺桶の外観に形成することが望ましい。この場合、段ボール紙の切断面を予めカバーシートなどで覆い、段ボールの木口面を外部へ露出させない。
【００２２】
本発明において、上記の態様で分解，折畳みして備蓄し、必要時に組立てて使用する棺桶に収められる遺体は、納棺する前に、検死や遺族との面会などのため図６，図７に例示する遺体被覆シート21の上に安置し、当該シート21によって遺体全体を包み込むことにより腐敗の進行を遅らせると共に、その遺体から滲出する体液をこのシート21が受容，吸収するので、以下に本発明遺体被覆シート21の構成について説明する。
【００２３】
遺体被覆シート21は、一例として220cm〜250cm四方の柔軟なポリプロピレンシートを第一層21aとし、この第一層21aの上に、一例として180〜210cm四方の大きさで、全面に活性炭又はセラミックス材などを含ませて吸水機能のほか、防臭，防腐機能を発揮するフェルト状の化学繊維や不織布等によるマットを第二層21bとして敷設し、更に、第二層21bの上に幅が60〜70cmくらいで、長さが第二層21bと略同じ程度に形成した吸水性，吸臭性，防腐作用などがある機能性のポリマーシートを第三層21cとして重ね、３つの層21a〜21cを、第三層21cの幅で接着や縫着などにより接合一体化して形成されている。
【００２４】
上記遺体被覆シート21は、第二層21bの左右両側壁において、面ファスナの雄部材22aとその雌部材22bとを、各側縁の表側と裏側に設け、第三層21cの上に安置した遺体Ｍを、左右両側から第二層21bを折曲げて遺体Ｍの上に被せたとき、両側からの第二層21bを面ファスナの雌雄部材22aと22bの係着により止めるようにしている。
【００２５】
本発明遺体被覆シート21では、上記のようにして遺体Ｍを覆った第二層21bに第一層21aを左右から折曲げて重ね、遺体Ｍを被覆してしまい、これにより遺体Ｍの腐敗の進行を抑え、遺体Ｍからの異臭等の放散を防ぐのである。この効果を更に高めるため、本発明では、第一層21aの中央部の上下辺に、遺体Ｍの上に折畳んだ第一層21aの上下辺を塞ぐための塞ぎ片23a，23bを形成することもある。24は、第一層21aの裏面に設けた氏名等の身元や属性などの記載欄である。
【００２６】
図６，図７により説明した本発明遺体被覆シート21は、使用前には第三層21cの上に、第一層21aと第二層21bを左右から畳み込み、その状態で長さ方向で２つ折りすると、先に説明した本発明棺桶における本体１と蓋２の折畳み状態（図３参照）に近い平面投影形状となるので、このシート21も前記本体１，蓋２と一緒に重ねて結束などにより一体化して備蓄するようにすれば、全体がコンパクトなセット形態で収納，備蓄できより実用性が高いものとなる。
【００２７】
本発明では、上記棺桶（本体１と蓋２）と被覆シート21の折畳み結束状態において、遺体の取扱い時や火葬時に使用する用品を同梱しておけば、更に実用性が高まる。同梱する用品の例としては、図示しないが、段ボール製の折畳み骨壷、脱脂綿などの用品、消石灰などによる消毒剤や殺菌剤、或は、マスクやゴム手袋などの用品類である。これらの用品は、夫々袋などにパックした状態で、前記シート21の折畳み層の間に挟持させておけば、全体の結束によっておよそ散逸するおそれはない。また、本発明棺桶と遺体被覆シートは、火葬における燃焼によって環境汚染物質が生成されたり、焼かれた骨に付着物などとして残査が残らない材料により形成するものとする。
【産業上の利用可能性】
【００２８】
本発明は以上の通りであるから、段ボール製棺桶と被覆シートとを折畳み状態で積層結束し、その中に各用品を保持させて全体を緊急時用棺桶の１セットとして取扱うようにし、その多数セットを適宜の格納場所に収納し備蓄しておけば、万一の大地震等の大規模災害の発生により大量の棺桶を即時に必要とする非常時に、迅速かつ好適に対応できるという、従来の単なる折畳み式棺桶では到底なし得なかった対応が可能になる。
【図面の簡単な説明】
【００２９】
【図１】本発明棺桶の容器側である本体の一例を分解して展開した状態の平面図。
【図２】棺桶の蓋の展開状態の平面図。
【図３】図１の本体を折畳んで２つ折りにした状態と図２の蓋を折畳んで２つ折りにした状態の斜視図。
【図４】図３の本体と蓋を使用状態に組立てた状態の斜視図。
【図５】本発明棺桶の使用状態の斜視図。
【図６】本発明遺体被覆シートの一例の平面図。
【図７】図６のシートの下面図。
【符号の説明】
【００３０】
１                棺桶の本体
1a，1b            底壁
1b，1c            左，右壁
1d，1e            上，下壁
２                蓋
2a                蓋主板
2b，2c            左右の側板
21                被覆シート
21a               第一層
21b               第二層
21c               第三層
３，４，８，９    折込み溝
５，６，12       止め具挿入用の孔
７，10           ２つ折線
13，14           ファスナ
【図１】
2005278994.tif 000003
【図２】
2005278994.tif 000004
【図３】
2005278994.tif 000005
【図４】
2005278994.tif 000006
【図５】
2005278994.tif 000007
【図６】
2005278994.tif 000008
【図７】
2005278994.tif 000009